(57)【特許請求の範囲】
【請求項１】
放射線管理区域で使用する作業服類の保管袋であって、
前記作業服類を収納する内面に抗菌部材を備える袋部と、
前記内面において前記袋部の一方に配置される開口の端縁から前記袋部の他方に形成される底部側に向かって所定の距離離れた位置に、前記端縁に平行して形成される開閉手段と、
前記袋部の外面において前記端縁から前記開閉手段に対応する位置の間に、前記端縁に直交する方向に延びる第一の側縁側と該第一の側縁に対向する第二の側縁側において互いに向かい合い、所定の間隔を開けて設けられる複数の目印と、を備える保管袋。
【請求項２】
前記開閉手段は、前記内面の第一の面に形成される凸状部材と、前記第一の面に向かい合う第二の面に形成されて前記凸状部材に嵌合する溝状部材と、を備える請求項１記載の保管袋。
【請求項３】
前記抗菌部材はシート状部材であり、前記袋部と前記シート状部材とは、グラフト重合により接着される請求項１または２記載の保管袋。
【請求項４】
前記袋部は、前記底部と前記開閉手段との間に設けられる筐体状の収納部と、該収納部から前記開口に延びる封入部を備え、
前記収納部は、前記底部と、該底部に向かい合う面と、前記第一の面と、前記第二の面と、前記第一の側縁及び前記第二の側縁のそれぞれから前記第一の面及び前記第二の面の間における前記収納部の厚さ方向に延びる側面と、により構成される請求項２又は３に記載の保管袋。
【請求項５】
さらに逆止弁を備える請求項１から４のいずれかに記載の保管袋。
【請求項６】
放射線管理区域で使用する作業服類の保管方法であって、
放射線管理区域において使用済みの作業服類に抗菌消臭剤を付与する抗菌消臭剤付与工程と、
前記抗菌消臭剤の付与された使用済みの前記作業服類を、請求項１から５に記載の保管袋に収納する収納工程と、
前記作業服類を収納した前記保管袋から真空掃除機により前記袋部の内部を真空にする真空工程と、
前記開閉手段により前記開口を封じる封止工程と、
前記袋部の前記外面の前記端縁に最も近接する位置における前記第一の側縁側と前記第二の側縁側とを結ぶ線を溶着する溶着工程と、を有する作業服類の保管方法。
【請求項７】
さらに、前記溶着工程の後、前記作業服類を収納した前記保管袋を、建物の中で放射線遮蔽壁を備える部屋の内部または収納ラックに積み重ねて収容する収容工程を含む請求項６に記載の作業服類の保管方法。
【発明の詳細な説明】
【技術分野】
【０００１】
本発明は、保管袋に関する。特に、放射線管理区域で使用する作業服類の保管袋及びこれを用いた保管方法に関する。
【背景技術】
【０００２】
従来より、寝具や衣類などの保管にあたり、これらの内容物を袋に収納して内部の空気を抜いて圧縮して保管するための保管袋や保管方法が知られている。これらの保管袋は、季節の変化などにより長期間使用しない寝具などを保管するためのものであり、収納する寝具などは洗濯や天日干しなどがされた清潔なものである場合が多い。このような寝具などを長期間保管するため、保管袋の内部に乾燥剤を設けて湿気を防ぐ保管袋が知られている（例えば、特許文献１参照）。
【０００３】
ところで、原子力発電所などの放射線管理区域で作業を行った作業員他が着用した作業服は洗濯により汚染が除去されて、専用の装置により放射線に汚染されていないか検査される。放射線管理区域で使用された作業服は、検査をせずに管理区域外へ持ち込まれることが禁止されているからである。しかしながら、汚染の除去には専用の装置が用いられるため、この装置が故障した場合などには、使用済みの作業服が洗濯できずに、長期間保管されなければならなかった。
【０００４】
上記の場合、作業を行って汗を吸収した作業服を洗濯せずに長期間保管すると、悪臭やカビの発生により再使用が困難となり、廃棄せざるを得ないという問題が起きていた。このような場合、特許文献１に記載の保管袋ではカビの発生や悪臭を十分に防ぐことができないという問題があった。
【先行技術文献】
【特許文献】
【０００５】
【特許文献１】登録実用新案第３０７８１０１号公報
【発明の概要】
【発明が解決しようとする課題】
【０００６】
上記のような問題に鑑み、本発明は、汗などを吸収した使用済みの作業服類を、カビや悪臭の発生を抑制して長期間収納することができる保管袋と、これを用いて作業服類を保管する保管方法を提供することを目的とする。
【課題を解決するための手段】
【０００７】
（１）  本発明の保管袋は、放射線管理区域で使用する作業服類の保管袋であって、前記作業服類を収納する内面に抗菌部材を備える袋部と、前記内面において前記袋部の一方に配置される開口の端縁から前記袋部の他方に形成される底部側に向かって所定の距離離れた位置に、前記端縁に平行して形成される開閉手段と、前記袋部の外面において前記端縁から前記開閉手段に対応する位置の間に、前記端縁に直交する方向に延びる第一の側縁側と該第一の側縁に対向する第二の側縁側において互いに向かい合い、所定の間隔を開けて設けられる複数の目印と、を備える。
【０００８】
（２）  前記開閉手段は、前記内面の第一の面に形成される凸状部材と、前記第一の面に向かい合う第二の面に形成されて前記凸状部材に嵌合する溝状部材と、を備えることが好ましい。
【０００９】
（３）  前記抗菌部材はシート状部材であり、前記袋部と前記シート状部材とは、グラフト重合により接着されることが好ましい。
【００１０】
（４）  前記袋部は、前記底部と前記開閉手段との間に設けられる筐体状の収納部と、該収納部から前記開口に延びる封入部を備え、前記収納部は、前記底部と、該底部に向かい合う面と、前記第一の面と、前記第二の面と、前記第一の側縁及び前記第二の側縁のそれぞれから前記第一の面及び前記第二の面の間における前記収納部の厚さ方向に延びる側面と、により構成されることが好ましい。
【００１１】
（５）  さらに逆止弁を備えることが好ましい。
【００１２】
（６）  本発明の放射線管理区域で使用する作業服類の保管方法によれば、放射線管理区域において使用済みの作業服類に抗菌消臭剤を付与する抗菌消臭剤付与工程と、前記抗菌消臭剤の付与された使用済みの前記作業服類を、（１）から（５）に記載の保管袋に収納する収納工程と、前記作業服類を収納した前記保管袋から真空掃除機により前記袋部の内部を真空にする真空工程と、前記開閉手段により前記開口を封じる封止工程と、前記袋部の前記外面の前記端縁に最も近接する位置における前記第一の側縁側と前記第二の側縁側とを結ぶ線を溶着する溶着工程と、を有する。
【００１３】
（７）  さらに、前記溶着工程の後、前記作業服類を収納した前記保管袋を、建物の中で放射線遮蔽壁を備える部屋の内部または収納ラックに積み重ねて収容する収容工程を含むことが好ましい。
【発明の効果】
【００１４】
本発明に係る保管袋及び保管方法によれば、汗などを吸収した使用済みの作業服類を、カビや悪臭の発生を抑制して長期間収納することができる。
【図面の簡単な説明】
【００１５】
【図１】第一実施形態に係る保管袋を示す斜視図である。
【図２】図１に示す保管袋のＡ−Ａ線における断面図である。
【図３】第一実施形態に係る真空工程を示す説明図である。
【図４】第一実施形態に係る封止工程を示す説明図である。
【図５】第二実施形態に係る保管袋を示す斜視図である。
【図６】第二実施形態に係る保管袋の断面図である。
【発明を実施するための形態】
【００１６】
以下、本発明の実施形態について図面を参照しながら説明する。なお、本発明の実施形態は、下記の実施形態に何ら限定されることなく、本発明の技術的範囲は、これに限定されるものではない。
【００１７】
１．第一実施形態
図１に示すように、本実施形態に係る保管袋１は、略直方体で一方の面側に開口３を有する袋部２により形成される。開口３に向かい合う面側は底部４である。開口３が形成される袋部２の端縁５が延びる方向に直交して、第一の側縁６と、第一の側縁６に対向する第二の側縁７が延びる。これらの、第一の側縁６及び第二の側縁７それぞれから延びる袋部２の厚みを形成する側面８の一部には、折代９が形成される。第一の側縁６と、第二の側縁７との間の袋部２の最も大きな面積の面が平面部２０である。平面部は側面８を挟んで向き合う二面に配置される。袋部２は、内面に抗菌部材２３を備える。
【００１８】
図２に示すように、袋部２の作業服類１００を収納する内面には、開口３の端縁５から底部４側に向かって所定の距離離れた位置に、端縁５に平行して開閉手段１０が形成される。折代９は、底部４から開閉手段１０までの間に設けられる。開閉手段１０から開口３の端縁５までは、開閉手段１０による封止を可能とするため、折代９は設けられない。平面部２０の外面側には、端縁５から開閉手段１０に対応する位置の間に、第一の側縁６側と第二の側縁７側において互いに向かい合い、所定の間隔を空けて複数の目印１１が設けられる。
【００１９】
袋部２の形状は、内面に開閉手段１０を形成し、外面に目印１１を表示することが可能であれば、特に限定されない。直方体であれば、開口３の幅と開閉手段１０の長さを同一にすることができ、開口３を大きくとることができるため好ましい。袋部２の寸法は、第一の側縁６及び第二の側縁７の長さが８０ｃｍ、これらの側縁に直交する端縁５及び底部４の側縁の長さが６０ｃｍ、厚みを形成する側面８の厚さ方向の長さが３０ｃｍであるが、作業服類を収納することができればこれに限定されない。
【００２０】
袋部２は、厚さ０．１５ｍｍのポリエチレン製である。厚さが０．１５ｍｍであると、繰り返しの使用に耐える強度が確保でき、ポリエチレン製であると使用済みのものを放射性廃棄物として焼却することができるため好ましい。しかしながら、材質及び厚さは特にこれに限定されない。
【００２１】
抗菌部材２３は、平面部２０の内面側において、開閉手段１０から底部４側に向かって配置される。また、底部４の内面側にも抗菌部材２３が配置される。抗菌部材２３は、フェノキシエタノールをポリエステル製の不織布にグラフト重合させたシート状の部材である。フェノキシエタノールは消臭及び吸湿、抗菌効果を有し、繰り返しの使用に耐えうるため好ましい。竹炭に限られず、抗菌部材は従来公知のものを用いてよいが、特に汗などのアンモニアやカビの発生を抑制する種類のものであることが好ましい。
【００２２】
抗菌部材２３は、フェノキシエタノールとグラフト重合により接合される。すなわち、抗菌部材２３に放射線を放射し、所定の薬品にて処理した後、袋部２を構成するシート状部材と結合する。グラフト重合により結合されることにより、抗菌部材２３の抗菌効果が半永久的に持続する。
【００２３】
開閉手段１０は、袋部２の内面に形成される。端縁５から１５ｃｍの範囲内の離れた位置に、端縁５の延びる方向に平行して延びるように形成される。開閉手段１０は、袋部２の内面の一方の面である第一の面２１に形成される凸状部材１０ａと、第一の面２１に向かい合う第二の面２２に形成され、凸状部材１０ａに向かい合って凸状部材１０ａに嵌まり合う溝状部材１０ｂを備える。凸状部材１０ａと溝状部材１０ｂが嵌まり合う形状は、従来公知の形状が用いられてよい。
【００２４】
図３に示すように、袋部２に作業服類１００を収納した後、袋部２は内部を後述する真空掃除機３０で空気を抜かれる。空気を抜いた後、凸状部材１０ａを溝状部材１０ｂに嵌めこむことによって、袋部２を密封するための仮留めが可能になる。
【００２５】
目印１１は、平面部２０の外面側の第一の側縁６と、第二の側縁７近傍に設けられる。端縁５と、開閉手段１０に対応する平面部２０の外面側の部分と、の間に四箇所、等間隔で設けられる。目印１１の設けられる数や間隔はこれに限定されず、適宜変更されてよい。第一の側縁６側に設けられる目印１１と、第二の側縁７側に設けられる目印１１とは、互いに向かい合い、直線で結ぶことができるように配置される。目印１１は、袋部の一の平面部２０と、これに向かい合う他の平面部２０の両方に表示される。一方の平面部２０にのみ表示されてもよいが、両方の面に表示されていることにより、保管袋１がいずれの向きであっても後述するように密閉する際の目印とできるので好ましい。両面の目印１１は、袋部２の外面側に印刷などの公知の手段により表示されればよく、色や形状などの表示手段は特に限定されない。
【００２６】
図４に示すように、目印１１は、開閉手段１０より開口３側に設けられる。このため、開閉手段１０により袋を仮に閉じた後、第一の側縁６側に設けられる目印１１と、第二の側縁７側に設けられる目印１１との間を、密閉手段によってさらに封止することにより、保管袋１が完全に密閉可能となる。密閉手段としては、ポリエチレンやポリプロプレンなどのフィルムを熱により溶着させるシール機４０が好適に用いられる。
【００２７】
以下に本発明に係る保管袋１を用いて作業服類を保管する保管方法を説明する。放射線管理区域で使用された作業着、下着、靴下、帽子などの作業服類１００は、保管袋１に収納される前に抗菌消臭剤を付与される。抗菌消臭剤は、人の汗に含まれるアンモニアから発生する悪臭を低減し、カビの発生を抑制する抗菌成分を含んでいるものであれば、従来公知の抗菌消臭剤を用いてよい。抗菌消臭剤は、例えば、保管袋１に収納する前に原液を作業服類１００に噴霧し、保管袋１に半分ほど詰めたところでさらに噴霧し、保管袋いっぱいに作業服類１００が詰ったところでもう一度噴霧するなど、数回に分けて噴霧してよい。保管袋１に収納した抗菌消臭効果を得られれば、付与する方法、回数などは特に限定されない。
【００２８】
抗菌消臭剤を付与された作業服類１００は、収納工程において、保管袋１に開口３から収納される。その後、真空工程において、開口３に真空掃除機３０の管３１を差し込み、真空掃除機を作動させて保管袋１の内部の空気を吸引する。真空掃除機３０は、空気を吸引する機能を有していれば特に限定されないが、モーターを複数有するなど、家庭用の掃除機と比べて強力な吸引力を有するものが好ましい。
【００２９】
内部の空気を吸引された保管袋１の作業服類１００と接しない部分は、一方の面である第一の面２１とこれに向き合う他方の面である第二の面２２とが重ね合わさった状態になる。図３に示すように、封止工程において、平面部２０の向き合う内面を重ね合わせた状態で、開閉手段１０の凸状部材１０ａを溝状部材１０ｂに嵌めこみ、仮留めする。
【００３０】
封止工程の後、溶着工程において、目印１１のうち、端縁５に最も近接する位置に配置される目印の、第一の側縁６側と前記第二の側縁７側とを結ぶ線をシール機４０で溶着する。これにより、保管袋１の内部が真空の状態で密閉される。溶着工程では、複数箇所に設けられた目印１１のうち最も開口３の端縁５に近い側の目印１１を溶着する。なお、「最も近接する位置」とは、端縁５の近傍において、端縁５からシール機４０を用いて溶着が可能な距離離れた位置である。保管袋１を開封する際には、溶着した部分を切除する。そこで、収納された作業服類１００を洗濯した後、再度保管袋１を使用するときには、またさらに開口３の端縁５に最も近い側にある目印１１部分を溶着する。このようにして、目印１１が形成されている箇所の数だけ、保管袋１を切除して、溶着し、再使用することが可能になる。
【００３１】
上述の通り真空状態で作業服類を収納した保管袋１は、建物の中で放射線遮蔽壁を有する部屋の内部に積み重ねて収容される。例えば、部屋の内部の収納ラックなどの棚に重ねて収容される。使用済みの作業服類は放射線を帯びている可能性があり、検査を受けていないため、放射線を遮蔽可能な厚さの壁または低放射化機能を備える壁により囲まれた部屋の内部に積み重ねることにより、安全性が向上する。また、作業服類１００の重さで積み重ねられた下方に位置する保管袋１は圧力を受け、真空状態がより長く持続する。
【００３２】
本発明によれば、使用済みの作業服類に抗菌消臭剤を付与したものを真空状態で保管することができる抗菌部材を備える保管袋及び保管方法が提供されるため、使用済みの作業服類を洗濯するまでに長期間保管する際、悪臭やカビの発生を抑制することができる。
【００３３】
また、袋部２の内面側に開閉手段１０を形成し、さらに開閉手段１０と開口３の間を溶着するため、袋部２の内部を真空状態にした後大気圧に戻すことなく袋部を封止し、密閉することができる。さらに、目印１１を開口３の端縁５から開閉手段１０に対応する平面部２０の外面側の間に複数個所設けたため、繰り返し溶着することができ、保管袋１を繰り返し使用することができる。
【００３４】
２．第二実施形態
次に、本発明の第二実施形態に係る保管袋１Ａについて、図５を参照しながら説明する。図５は、第二実施形態に係る保管袋１Ａの斜視図である。図６は、第二実施形態に係る保管袋１Ａの縦断面図である。第二実施形態の説明において特に説明をしない点については、第一実施形態の説明が適宜援用される。
【００３５】
第二実施形態においては、袋部２の形状が第一実施形態と異なる。袋部２は、底部４及び開閉手段１０の間に設けられる筐体状の収納部２５と、収納部２５から開口３に延びる封入部２６とを備える。また、第二実施形態に係る保管袋１Ａは、保管袋１の内部の空気を排出し、空気の逆戻りを防止する逆止弁１２を備える。
【００３６】
収納部２５は、底部４と、底部４に向かい合う面４１と、第一の面２１と、第二の面２２と、第一の側縁６及び第二の側縁７のそれぞれから第一の面２１及び第二の面２２の間における収納部２５の厚さ方向に延びる側面８と、により構成される。収納部２５は、内部に空間を形成するように広げた状態で、略直方体の形状を備える。
【００３７】
図６に示すように、収納部２５は、内部に空間を形成するように広げた状態で、保管袋１Ａの最も大きな面を構成する一対の平面部２０のうち一方の平面部２０から他方に突出するように形成される。
【００３８】
封入部２６は、収納部２５から連続して開口３に延びている。封入部２６は、袋部２の内面における第一の面２１と第二の面２２とが互いに向き合い、第一の面２１及び第二の面２２が第一の側縁６及び第二の側縁７において連続していることにより、収納部２５に繋がる筒状の形状に構成されている。封入部２６における第一の面２１の外側の面は、一対の平面部２０のうちの一の平面部２０から連続している。第二の面２２の外側の面は、底部４に向かい合う面４１から屈曲して連続している。
【００３９】
収納部２５には、空気を排出し、逆戻りを防止する逆止弁１２が設けられている。逆止弁１２は、筒状の形状を備え、開閉手段１０と同様の材質で構成されている。
【００４０】
第二実施形態によれば、袋部２に、底部４と開閉手段１０との間に設けられる収納部２５と、収納部２５から開口３に延びる封入部２６と、を設けた。また、収納部２５は、筐体状の形状を備える構成とした。このため、保管袋１Ａの開口３近傍を溶着する際に、収納部２５に皴が寄りにくい。また、収納部２５を筐体状の形状とすることにより、底部４に向かい合う面４１が袋部２の開口３側のマチ部分となるため、第一実施形態における形状よりも収納部２５の内部に収納できる作業服類１００の容量を大きくすることができる。
【００４１】
また、第二実施形態によれば、開閉手段１０の内側（収納部側）に、逆止弁１２が設けられている。このため、保管袋１Ａから空気を抜く際に、より簡易で確実に内部の空気を低減することができる。
【００４２】
３．第三実施形態
第三実施形態においては、目印１１を保管袋に設けない点で、第一実施形態と異なる。その他の構成は第一実施形態と同様である。第三実施形態によれば、目印１１を設けなくてよい点で、第一実施形態における製造コストよりも低いコストで保管袋を作成することができる。目印１１を設けない場合でも、保管袋に使用済みの作業服類を収納した後、袋部２の端縁５に最も近い側をシール機４０で溶着し、溶着した部分を切るなどして開封した後、さらにまた端縁５に最も近い側をシール機４０で溶着して保管袋を使用することにより、第一実施形態と同様の作用及び効果を奏する。
【００４３】
４．第四実施形態
第四実施形態においては、放射線管理区域で使用するための作業服類を、使用前に保管袋１において保管する点で第一実施形態と異なる。使用前であるため、抗菌消臭材は付与されない。収納工程において、使用前の作業服類を、第一実施形態と同様の保管袋１に開口３から収納する。その後、真空工程において、開口３に真空掃除機３０の管３１を差し込み、真空掃除機を作動させて保管袋１の内部の空気を吸引する。封止工程において、保管袋１における平面部２０の向き合う内面の第一の面２１、第二の面２２を重ね合わせた状態で、開閉手段１０の凸状部材１０ａを溝状部材１０ｂに嵌めこみ、仮留めする。
【００４４】
封止工程の後、溶着工程において、目印１１のうち、端縁５に最も近接する位置に配置される目印の、第一の側縁６側と前記第二の側縁７側とを結ぶ線をシール機４０で溶着する。これにより、保管袋１の内部が真空の状態で密閉される。溶着工程では、複数箇所に設けられた目印１１のうち最も開口３の端縁５に近い側の目印１１を溶着する。保管袋１を開封する際には、溶着した部分を切除する。再度保管袋１を使用するときには、またさらに開口３の端縁５に最も近い側にある目印１１部分を溶着する。このようにして、目印１１が形成されている箇所の数だけ、保管袋１を切除して、溶着し、再使用することが可能になる。
【００４５】
上述の通り真空状態で作業服類を収納した保管袋１は、建物の部屋の内部に積み重ねて収容される。例えば、部屋の内部の収納ラックなどの棚に重ねて収容される。積み重ねることにより、作業服類１００の重さで積み重ねられた下方に位置する保管袋１は圧力を受け、真空状態がより長く持続する。本実施形態によれば、使用前の作業服類を保管袋１に収納するため、湿気の多い場所でもカビや悪臭の発生を抑制して使用前の作業服類を保管することができる。また、真空状態で保管するため、大量の作業服類を部屋の内部の棚などに収容する際、スペースをとらずに収容することができる。
【符号の説明】
【００４６】
１、１Ａ      保管袋
２      袋部
３      開口
４      底部
５      端縁
６      第一の側縁
７      第二の側縁
８      側面
９      折代
１０    開閉手段
１０ａ  凸状部材
１０ｂ  溝状部材
１１    目印
１２    逆止弁
２０    平面部
２１    第一の面
２２    第二の面
２３    抗菌部材
２５    収納部
２６    封入部
３０    真空掃除機
４０    シール機
【図１】
0005063627.tif 000002
【図２】
0005063627.tif 000003
【図３】
0005063627.tif 000004
【図４】
0005063627.tif 000005
【図５】
0005063627.tif 000006
【図６】
0005063627.tif 000007